(57)【要約】【課題】非使用時にはジャックコードとイヤホンコードとが巻き取り可能なコンパクトな形態で、かつ、実用性に優れる携帯電話機用イヤホンマイク装置の提供。【解決手段】携帯電話機に接続されるジャックコード３と、ステレオ対応の一対のイヤホンコード４と、コード３、４、４それぞれを巻き取り／引き出し可能とするリール体７と、リール体７を内蔵する装置本体２と、装置本体２に付設されるマイク２１と、装置本体２に付設される聞き取り音量調整用のボリューム体２２とを備えてなることを特徴とする携帯電話機用イヤホンマイク装置。【選択図】図２
0003126012.tif 000002
【実用新案登録請求の範囲】
【請求項１】
携帯電話機に接続されるジャックコードと、
ステレオ対応の一対のイヤホンコードと、
前記コードそれぞれを巻き取り／引き出し可能とするリール体と、
前記リール体を内蔵する装置本体と、
前記装置本体に付設されるマイクと、
前記装置本体に付設される聞き取り音量調整用のボリューム体と、
を備えてなることを特徴とする携帯電話機用イヤホンマイク装置。
【考案の詳細な説明】
【技術分野】
【０００１】  この考案は、携帯電話機に接続使用するイヤホンマイク装置に関する。
【背景技術】
【０００２】  車の運転中に携帯電話機での応答ができるようにイヤホンマイクが汎く用いられている。また最近では携帯電話機に配信による音楽を取り込み、その音楽を楽しむことができるステレオ対応のイヤホンマイクが用いられている。一方この種のイヤホンマイクとして途中部にジャックコードとイヤホンコードとを巻き取り／引き出し可能とするリール体を備えるものが提供され、このものでは非使用時にはそれぞれのコードが巻き取り状態とされて見栄えが良く、また、その取り扱いも常に長いコードが存在しないことで容易とされている。
【考案の開示】
【考案が解決しようとする課題】
【０００３】  この考案では、構成が簡単で機能性に優れる、ステレオ対応でジャックコード、イヤホンコードが巻き取り／引き出し可能である携帯電話機用イヤホンマイク装置を提供することを目的とする。
【課題を解決するための手段】
【０００４】  この考案では、携帯電話機に接続されるジャックコードと、ステレオ対応の一対のイヤホンコードと、前記コードそれぞれを巻き取り／引き出し可能とするリール体と、前記リール体を内蔵する装置本体と、前記装置本体に付設されるマイクと、前記装置本体に付設される聞き取り音量調整用のボリューム体とを備えてなることを特徴とする携帯電話機用イヤホンマイク装置を提供する。【０００５】  上記構成によれば、装置本体から引き出したジャックコード端を携帯電話機に接続し、イヤホンコード端それぞれを耳に付けることでステレオ対応での携帯電話機の使用が可能となり、とくにマイク装置本体にマイクとボリューム体とが設けられていることで、装置本体を口に近い位置としてマイクを話声の集音に有効に使用できるとともに、イヤホンでのステレオ音量の調整ができる。
【考案の効果】
【０００６】  この考案によれば、非使用時にはジャックコードとイヤホンコードとが巻き取り可能なコンパクトな形態で、マイクを有効に使用でき、しかも、イヤホンでのステレオ音量の調整ができる、簡単な構成でありながら機能性に優れるきわめて実用性の高い携帯電話機用イヤホンマイク装置が得られる。
【考案を実施するための最良の形態】
【０００７】  図１はこの考案の携帯電話機用イヤホンマイク装置の実施形態の外観斜視図、図２は同正面図、図３は同側面図、図４は同平面図、図５は同背面図である。【０００８】  携帯電話機用イヤホンマイク装置１は装置本体２に携帯電話機に接続されるジャックコード３と、ステレオ対応の一対のイヤホンコード４、４とがそれぞれ接続されて構成されている。装置本体１内には上記それぞれのコード３、４、４を巻き取り／引き出し可能とするリール体７が設けられている。【０００９】  図６はそのリール体７の簡略構成を示し、装置本体１側に固定状態に設けられる中間板９に相対する両側に巻軸部１０、１１を一体とする回転板１３、１４それぞれが中間板９に対して回転可能に取り付けられて構成され、巻軸部１０周囲をイヤホンコード４、４の巻き取りスペースＳ１、巻軸部１１周囲をジャックコード３の巻き取りスペースＳ２としている。このように、回転板１３、１４がそれぞれ別途回転することで、コード３、４、４それぞれが独立して巻き取り／引き出し可能とされている。なお、回転板１３、１４それぞれは、その説明は省略するが、巻き尺等において従来より周知技術であるバネ使用による自動巻き取り手段とロック手段とが一体に付設されて配置される。リール体７としては、回転部が共用されジャックコードとイヤホンコードとが相反する側に同量引き出されるタイプの従来品を用いてもよい。【００１０】  装置本体２の上面には携帯電話機との接続スイッチ２０とマイク２１とが設けられ、一方側面には聞き取り音量調整用のボリューム体２２が設けられ、さらに、背面には装置本体２の衣服等への取り付け用のクリップ２４が取り付けられている。なお、この携帯電話機用イヤホンマイク装置１における電気的な接続は、以下に説明する動作を可能とするように公知技術に基づいて適宜なされる。【００１１】  以下、上記携帯電話機用イヤホンマイク１の動作説明を行う。使用に際しては、ジャックコード３を所望の長さ引き出してそのジャック３０を、例えば、カバンの中の携帯電話機に接続し、その状態において装置本体２をクリップ２４を使用して上着の胸ポケット部分等に装着し、適量の長さイヤホンコード４、４を引き出してイヤホン４１、４１それぞれを耳に装着する。その際、イヤホーンコード４、４はジャックコード３の引き出し長さに関係なく任意の量において引き出せる。例えば、携帯電話機を上着の他のポケットに入れたり、運転中等において自動車内で使用する場合には、ジャックコード３の引き出し長さは上記と変わってくるが、それに関係なくイヤホンコード４、４は常にイヤホン４１、４１を耳に付けやすい長さで引き出し使用できる。【００１２】  携帯電話機用イヤホンマイク装置１は、接続スイッチ２０をＯＮすることで携帯電話機と電気的に接続され、携帯電話機からジャックコード３、装置本体２、イヤホンコード４、４を介して音信号が送られ、イヤホン４１、４１で電話相手の声が、また、携帯電話機からの配信音楽等が、ボリューム体２２で調整される音量において聞き取られる。また、装置本体２のマイク２１に集音される声等がジャックコード３を介して携帯電話機側に送られる。その際、装置本体２を上着の胸ポケット等話す口に近い部分とできることで、その声は明瞭に電話相手に伝達される。
【図面の簡単な説明】
【図１】  この考案の携帯電話機用イヤホンマイク装置の実施形態の外観斜視図
【図２】  この考案の携帯電話機用イヤホンマイク装置の実施形態の正面図
【図３】  この考案の携帯電話機用イヤホンマイク装置の実施形態の側面図
【図４】  この考案の携帯電話機用イヤホンマイク装置の実施形態の平面図
【図５】  この考案の携帯電話機用イヤホンマイク装置の実施形態の背面図
【図６】  この考案の携帯電話機用イヤホンマイク装置の実施形態において用いるリール体の簡略構成図
【符号の説明】
１  携帯電話機用イヤホンマイク装置
２  装置本体
３  ジャックコード
４  イヤホンコード
７  リール体
２１  マイク
２２  ボリューム体
【図１】
0003126012.tif 000003
【図２】
0003126012.tif 000004
【図３】
0003126012.tif 000005
【図４】
0003126012.tif 000006
【図５】
0003126012.tif 000007
【図６】
0003126012.tif 000008